(57)【要約】【課題】より利便性の高いデジタル放送信号を送出することができるデジタル放送のデータ送出方法を提供する。【解決手段】データ送出方法は、番組情報を符号化して所定の形式に変換するステップと、番組付加情報に基づいて、番組情報の種別を示す情報を含むサービス情報テーブルを生成するステップと、前記変換された番組情報と前記生成されたサービス情報テーブルとを多重化して伝送用のトランスポートストリームを生成するステップと、前記生成されるトランスポートストリームを送出するステップと、を有する。【選択図】      図１
2011223354.tif 000002
【特許請求の範囲】
【請求項１】
番組情報を符号化して所定の形式に変換するステップと、
番組付加情報に基づいて、番組情報の種別を示す情報を含むサービス情報テーブルを生成するステップと、
前記変換された番組情報と前記生成されたサービス情報テーブルとを多重化して伝送用のトランスポートストリームを生成するステップと、
前記生成されるトランスポートストリームを送出するステップと、
を有することを特徴とするデジタル放送のデータ送出方法。
【請求項２】
前記サービス情報を生成するステップは、番組情報の種別を示すサービス副種別情報を含む拡張サービスリスト記述子をサービス情報テーブルに挿入することを特徴とする請求項１に記載のデータ送出方法。
【請求項３】
前記サービス情報テーブルを生成するステップは、番組情報の種別を示すサービス副種別情報を含む拡張サービスリスト記述子をサービス情報テーブルとしてのネットワーク情報テーブルに挿入することを特徴とする請求項２に記載のデータ送出方法。
【請求項４】
前記サービス情報テーブルを生成するステップは、番組情報の種別を示すサービス副種別情報を含む拡張サービスリスト記述子をサービス情報テーブルとしてのブロードキャスタ情報テーブルに挿入することを特徴とする請求項２に記載のデータ送出方法。
【請求項５】
前記サービス情報テーブルを生成するステップは、番組情報の種別を示すサービス副種別情報を含む拡張サービスリスト記述子をサービス情報テーブルとしてのサービス記述テーブルに挿入することを特徴とする請求項２に記載のデータ送出方法。
【請求項６】
前記サービス情報テーブルを生成するステップは、番組情報の種別を示すサービス副種別情報を含むサービス記述子をサービス情報テーブルとしてのサービス記述テーブルに挿入することを特徴とする請求項１に記載のデータ送出方法。
【請求項７】
前記サービス情報テーブルを生成するステップは、番組情報の種別がリアルタイム型放送である場合と蓄積型放送である場合とで異なる値をサービス副種別情報に記述することを特徴とする請求項２に記載のデータ送出方法。
【請求項８】
前記サービス情報テーブルを生成するステップは、番組情報の階層伝送の受信形態によって異なる値をサービス副種別情報に記述することを特徴とする請求項２に記載のデータ送出方法。
【請求項９】
前記サービス情報テーブルを生成するステップは、番組情報の主としての種別が映像サービスである場合と音声サービスである場合とデータサービスである場合とで異なる値をサービス副種別情報に記述することを特徴とする請求項２に記載のデータ送出方法。
【発明の詳細な説明】
【技術分野】
【０００１】
本発明の実施形態は、デジタル放送の番組関連情報データを送出するデジタル放送のデータ送出方法に関する。
【背景技術】
【０００２】
従来のデジタル放送ではＭＰＥＧ-２  Ｓｙｓｔｅｍｓ（ＩＳＯ／ＩＥＣ１３８１８−１）に規定されるＴＳ（Ｔｒａｎｓｐｏｒｔ  Ｓｔｒｅａｍ）に基づいて映像、及び音声等の信号を送出する。ＴＳを送出するデータ送出方法は、例えば映像及び音声などからなる複数のコンテンツを符号化し、符号化したデータを所定の長さに分割してパケット化し、パケットを多重化してＴＳを生成し、この生成したＴＳに対し伝送路符号化などを施して電波、またはネットワークなどにより送出する。
【０００３】
ＴＳを受信する受信装置は、必要な信号のパケットをフィルタリングして抽出して合成することにより、所望のコンテンツを取得することができる。
【先行技術文献】
【特許文献】
【０００４】
【特許文献１】特開２００６−１８６５８０号公報
【発明の概要】
【発明が解決しようとする課題】
【０００５】
デジタル放送では受信装置において、受信するＴＳから所望の番組を特定し、番組を構成する映像、音声等の各信号を多重分離するために、やはりＴＳ中に多重されたProgram Specific Information/Service Information（ＰＳＩ／ＳＩ）を利用する。
【０００６】
放送サービスには、例えば、映像サービス、音声サービス、データサービスなどの種々の種類がある。デジタル放送の送出方式では、ＳＩの記述子内の「ｓｅｒｖｉｃｅ＿ｔｙｐｅ」というフィールドをコンテンツの種類に応じて記述することにより、受信側にコンテンツの種類を認識させることができる。これにより、受信装置は、一般に多様なサービスの種類をもつ、多数のサービス(編成チャンネル)が提供可能なデジタル放送においても、サービスの種類に応じて効率的な処理を行うことができる。
【０００７】
また、近年、ストリーミング配信とダウンロード配信とを時間帯に合わせて各々、あるいは組み合わせて柔軟な形態でコンテンツを主に携帯端末向けに提供するマルチメディア放送が検討されている。
【０００８】
マルチメディア放送では、リアルタイム型及び蓄積型、並びに１２セグ放送及び１セグ放送などの放送提供形態が存在する。マルチメディア放送では、これらのさまざまな組み合わせによる放送提供形態によって、映像サービス、音声サービス、独立データサービスなどの多彩なサービスを提供することが想定されている。
【０００９】
しかし、平成２２年２月３日公表の平成２１年総務省告示第８８号の一部改正案（http://www.soumu.go.jp/main_content/000053146.pdf）では現在、「マルチメディア放送」を示す「ｓｅｒｖｉｃｅ＿ｔｙｐｅ」として「０ｘＣ２」が割り当てられている。この為、「ｓｅｒｖｉｃｅ＿ｔｙｐｅ」によりマルチメディア放送サービスの種類を示すことができないという問題がある。即ち、従来のデジタル放送方式では、マルチメディア放送において運用が想定される種々のサービス形態を受信側に識別させることができない。この為、受信装置における処理の効率が低下する可能性があるという問題がある。
【００１０】
そこで、より利便性の高いデジタル放送信号を送出することができるデジタル放送のデータ送出方法を提供することを目的とする。
【課題を解決するための手段】
【００１１】
一実施形態に係るデジタル放送のデータ送出方法は、番組情報を符号化して所定の形式に変換するステップと、番組付加情報に基づいて、番組情報の種別を示す情報を含むサービス情報テーブルを生成するステップと、前記変換された番組情報と前記生成されたサービス情報テーブルとを多重化して伝送用のトランスポートストリームを生成するステップと、前記生成されるトランスポートストリームを送出するステップと、を有する。
【図面の簡単な説明】
【００１２】
【図１】図１は、一実施形態に係るデジタル放送の送出方法の例について説明するための図である。
【図２】図２は、ＳＩのデータの例について説明する為の説明図である。
【図３】図３は、ＳＩのデータの例について説明する為の説明図である。
【図４】図４は、ＳＩのデータの例について説明する為の説明図である。
【図５】図５は、ＳＩに挿入されるサービスリスト記述子の例について説明する為の説明図である。
【図６】図６は、ＳＩに挿入される拡張サービスリスト記述子の例について説明する為の説明図である。
【図７】図７は、図６に示すＳｅｒｖｉｃｅＳｕｂｔｙｐｅの例について説明する為の説明図である。
【図８】図８は、ＳＤＴに挿入されるサービス記述子の例について説明する為の説明図である。
【発明を実施するための形態】
【００１３】
以下、図を参照しながら、一実施形態に係るデジタル放送のデータ送出方法について詳細に説明する。
【００１４】
図１は、一実施形態に係るＴＳ送出方法の例について説明するための図である。
【００１５】
データ送出装置１００は、入力される番組情報、及び番組付加情報に基づいて複数のパケットを多重化し、ＴＳを生成し、生成したＴＳを電波、またはネットワークなどにより送出する。
【００１６】
番組は、同一のサービス(編成チャンネル）に属していて、且つ、開始及び終了時刻が定められた放送データストリーム構成要素の集合体である。放送データストリーム構成要素は、例えば、映像信号、音声信号、及び字幕信号のうちの１つ、または複数を含む。
【００１７】
データ送出装置１００は、映像エンコーダ１１１、映像変換部１１２、音声エンコーダ１２１、音声変換部１２２、ＰＳＩ／ＳＩ生成部１３１、マルチプレクサ１５０、及び伝送路符号化部１６０を備える。
【００１８】
映像エンコーダ１１１は、入力される番組情報としての映像データに対してエンコードを行う。映像エンコーダ１１１は、エンコードした映像データを映像変換部１１２に送信する。
【００１９】
映像変換部１１２は、映像エンコーダ１１１によりエンコードした映像データを、伝送方式に適合するフォーマットに変換する。即ち、映像変換部１１２は、映像データをＰＥＳ（Ｐａｃｋｅｔｉｚｅｄ  Ｅｌｅｍｅｎｔａｒｙ  Ｓｔｒｅａｍ）化する。映像変換部１１２は、生成したＰＥＳパケットをマルチプレクサ１５０に送信する。
【００２０】
音声エンコーダ１２１は、入力される番組情報としての音声データに対してエンコードを行う。音声エンコーダ１２１は、エンコードした音声データを音声変換部１２２に送信する。
【００２１】
音声変換部１２２は、音声エンコーダ１２１によりエンコードした音声データを、伝送方式に適合するフォーマットに変換する。即ち、音声変換部１２２は、音声データをＰＥＳパケット化する。音声変換部１２２は、生成したＰＥＳパケットをマルチプレクサ１５０に送信する。
【００２２】
ＰＳＩ／ＳＩ生成部１３１は、入力される番組付加情報に基づいて、ＰＳＩまたはＳＩなどのサービス情報テーブル（ＰＳＩ／ＳＩテーブル）を生成する。
【００２３】
ＰＳＩは、ＭＰＥＧ−２システムズ規格で規定された伝送制御信号である。ＰＳＩは、受信装置における多重分離処理、及び再生処理に用いられる。
【００２４】
ＳＩは、番組配列情報である。ＳＩは、放送データストリームの分配システム、内容、スケジュール、及びタイミング、などを記述するデジタルデータである。ＳＩは、ＰＳＩの構成と、独自に定義された拡張部分とを有する。ＳＩは、受信装置において視聴者に対して行われる編成チャンネルの表示、及び番組の情報の表示などに用いられる。
【００２５】
ＰＳＩ／ＳＩ生成部１３１は、入力される番組付加情報に基づいて、例えばＰｒｏｇｒａｍ  Ａｓｓｏｃｉａｔｉｏｎ  Ｔａｂｌｅ（ＰＡＴ)、Ｐｒｏｇａｒｍ  Ｍａｐ  Ｔａｂｌｅ（ＰＭＴ）、Ｃｏｎｄｉｔｉｏｎａｌ  Ａｃｃｅｓｓ  Ｔａｂｌｅ（ＣＡＴ）、及びＮｅｔｗｏｒｋ  Ｉｎｆｏｒｍａｔｉｏｎ  Ｔａｂｌｅ（ＮＩＴ）などのＰＳＩテーブルを生成する。
【００２６】
また、ＰＳＩ／ＳＩ生成部１３１は、入力される番組付加情報に基づいて、Ｓｅｒｖｉｃｅ  Ｄｅｓｃｒｉｐｔｉｏｎ  Ｔａｂｌｅ（ＳＤＴ）、Ｅｖｅｎｔ  Ｉｎｆｏｒｍａｔｉｏｎ  Ｔａｂｌｅ（ＥＩＴ）、及びＢｒｏａｄｃａｓｔｅｒ  Ｉｎｆｏｒｍａｔｉｏｎ  Ｔａｂｌｅ（ＢＩＴ）などのＳＩテーブルを生成する。ＰＳＩ／ＳＩ生成部１３１は、生成したサービス情報テーブルをマルチプレクサ１５０に送信する。
【００２７】
マルチプレクサ１５０は、映像変換部１１２、音声変換部１２２、及びＰＳＩ／ＳＩ生成部１３１により生成されるＰＥＳパケットおよびサービス情報テーブルを多重化する。これにより、マルチプレクサ１５０は、ＴＳを生成する。マルチプレクサ１５０は、生成したＴＳを伝送路符号化部１６０に送信する。
【００２８】
伝送路符号化部１６０は、マルチプレクサ１５０により生成されるＴＳに対し誤り訂正符号化処理及び変調処理等を施して、電波、またはネットワークなどにより送出する。これにより、データ送出装置１００は、映像及び音声等のコンテンツデータと、サービス情報テーブルと、が多重化されたＴＳを受信装置に伝送することができる。
【００２９】
図２乃至図４は、ＰＳＩ／ＳＩ生成部１３１により生成されるＰＳＩ／ＳＩのデータの例について説明する為の説明図である。図２は、ＰＳＩ／ＳＩ生成部１３１により生成されるＳＤＴの例について示す。図３は、ＰＳＩ／ＳＩ生成部１３１により生成されるＢＩＴの例について示す。図４は、ＰＳＩ／ＳＩ生成部１３１により生成されるＮＩＴの例について示す。
【００３０】
ＳＤＴ（サービス記述テーブル）は、ＴＳ内に含まれるサービス（編成チャンネル）に関する情報である。ＢＩＴ（ブロードキャスタ情報テーブル）は、ネットワーク上に存在するブロードキャスタに関する情報である。ＮＩＴ（ネットワーク情報テーブル）は、変調周波数などの伝送路の情報と、放送サービスとを関連付ける情報である。即ち、ＮＩＴは、ネットワーク全体のサービス構成を示す。
【００３１】
ＳＤＴ、ＢＩＴ、及びＮＩＴは、テーブル内に記述子領域を有する。記述子領域は、種々の記述子を複数挿入することができるフィールドである。
【００３２】
ＰＳＩ／ＳＩ生成部１３１は、例えば、図５に示すサービスリスト記述子（ｓｅｒｖｉｃｅ＿ｌｉｓｔ＿ｄｅｓｃｒｉｐｔｏｒ）をＰＳＩ／ＳＩテーブルの記述子領域に挿入する。
【００３３】
サービスリスト記述子は、ＴＳ内の各サービス、及びサービス形式種別の一覧を記述する為の記述子である。図５に示すように、サービスリスト記述子は、「ｄｅｓｃｒｉｐｔｏｒ＿ｔａｇ」、「ｄｅｓｃｒｉｐｔｏｒ＿ｌｅｎｇｔｈ」、「ｌｏｏｐ」、「ｓｅｒｖｉｃｅ＿ｉｄ」、及び「ｓｅｒｖｉｃｅ＿ｔｙｐｅ」などのフィールドを有する。
【００３４】
「ｄｅｓｃｒｉｐｔｏｒ＿ｔａｇ」は、当該記述子がサービスリスト記述子であることを示す値を記述するためのフィールドである。「ｄｅｓｃｒｉｐｔｏｒ＿ｌｅｎｇｔｈ」は、サービスリスト記述子の記述子長を記述するためのフィールドである。「ｌｏｏｐ」は、ＴＳ内のサービスの数に応じてループを記述するためのフィールドである。
【００３５】
「ｓｅｒｖｉｃｅ＿ｉｄ」は、当該ＴＳに含まれるサービスを識別するための識別子を記述するためのフィールドである。「ｓｅｒｖｉｃｅ＿ｔｙｐｅ」は、当該サービスの種類を示す値を記述するためのフィールドである。
【００３６】
ＰＳＩ／ＳＩ生成部１３１は、ＴＳとして生成するコンテンツの種類に応じて所定の値を「ｓｅｒｖｉｃｅ＿ｔｙｐｅ」に入力する。例えば、マルチメディア放送（デジタル放送）に関するコンテンツのＴＳを生成する場合、ＰＳＩ／ＳＩ生成部１３１は、「ｓｅｒｖｉｃｅ＿ｔｙｐｅ」に「０ｘＣ２」を入力する。なお、ＰＳＩ／ＳＩ生成部１３１は、外部から入力される番組付加情報に基づいてコンテンツの種類を判別する。
【００３７】
マルチメディア放送に関するコンテンツのＴＳを生成する場合、ＰＳＩ／ＳＩ生成部１３１は、ＳＤＴ、ＢＩＴ、及びＮＩＴのテーブル内の記述子領域に図６に示す拡張サービスリスト記述子（ｅｘｔｅｎｄｅｄ＿ｓｅｒｖｉｃｅ＿ｌｉｓｔ＿ｄｅｓｃｒｉｐｔｏｒ）をさらに挿入する。
【００３８】
拡張サービスリスト記述子は、「ｄｅｓｃｒｉｐｔｏｒ＿ｔａｇ」、「ｄｅｓｃｒｉｐｔｏｒ＿ｌｅｎｇｔｈ」、「ｌｏｏｐ」、「ｓｅｒｖｉｃｅ＿ｉｄ」、「ｓｅｒｖｉｃｅ＿ｓｕｂｔｙｐｅ」、及び「ｒｅｍｏｔｅ＿ｃｏｎｔｒｏｌ＿ｋｅｙ＿ｉｄ」などのフィールドを有する。
【００３９】
「ｄｅｓｃｒｉｐｔｏｒ＿ｔａｇ」は、当該記述子が拡張サービス記述子であることを示す値を入記述するためのフィールドである。「ｄｅｓｃｒｉｐｔｏｒ＿ｌｅｎｇｔｈ」は、拡張サービス記述子の記述子長を記述するためのフィールドである。「ｌｏｏｐ」は、ＴＳ内のサービスの数に応じてループを記述するためのフィールドである。「ｓｅｒｖｉｃｅ＿ｉｄ」は、当該ＴＳに含まれるサービスを識別するための識別子を記述するためのフィールドである。
【００４０】
「ｓｅｒｖｉｃｅ＿ｓｕｂｔｙｐｅ」（サービス副種別情報）は、マルチメディア放送に関するサービスの詳細種別を示す値を記述するためのフィールドである。
【００４１】
「ｒｅｍｏｔｅ＿ｃｏｎｔｒｏｌ＿ｋｅｙ＿ｉｄ」は、各サービス(編成チャンネル)に対応する受信機のリモコンキーの割り当てを識別するフィールドであり、利用者がリモコンでサービスを選局する際に必要な情報である。
【００４２】
ＰＳＩ／ＳＩ生成部１３１は、ＴＳとして生成するマルチメディア放送に関するサービスの詳細種別に応じて所定の値を「ｓｅｒｖｉｃｅ＿ｓｕｂｔｙｐｅ」に入力する。
【００４３】
上述したように、マルチメディア放送には、リアルタイム型及び蓄積型、並びに１２セグ放送及び１セグ放送などの放送提供形態が存在する。マルチメディア放送では、これらのさまざまな組み合わせによる放送提供形態によって、映像サービス、音声サービス、独立データサービスなどの多彩なサービスを提供することが想定されている。ＰＳＩ／ＳＩ生成部１３１は、予めマルチメディア放送の詳細種別ごとに「ｓｅｒｖｉｃｅ＿ｓｕｂｔｙｐｅ」に入力する値を定義したデータテーブル１３１ａを備える。
【００４４】
ＰＳＩ／ＳＩ生成部１３１は、外部から入力される番組付加情報に基づいてマルチメディア放送のコンテンツの詳細種別を判別する。ＰＳＩ／ＳＩ生成部１３１は、判別した種類に基づいてデータテーブル１３１ａを参照し、「ｓｅｒｖｉｃｅ＿ｓｕｂｔｙｐｅ」に値を記述する。
【００４５】
図７は、図６に示す「ｓｅｒｖｉｃｅ＿ｓｕｂｔｙｐｅ」に入力する値とコンテンツの種類とについて説明する為の説明図である。
【００４６】
図７に示すように、ＰＳＩ／ＳＩ生成部１３１は、マルチメディア放送の詳細種別と「ｓｅｒｖｉｃｅ＿ｓｕｂｔｙｐｅ」に入力する値とを対応付けたデータテーブル１３１ａを備える。
【００４７】
なお、図７に示すＡ階層は、例えば１２セグ放送を示す。また、この場合Ｂ階層は１セグ放送を示す。また、１セグ放送と１２セグ放送とは逆であってもよい。
【００４８】
マルチメディア放送のコンテンツの詳細種別が「リアルタイム型映像サービス（Ａ階層）」である場合、ＰＳＩ／ＳＩ生成部１３１は、「ｓｅｒｖｉｃｅ＿ｓｕｂｔｙｐｅ」に「０ｘ０１」を記述する。また、マルチメディア放送のコンテンツの詳細種別が「リアルタイム型音声サービス（Ａ階層）」である場合、ＰＳＩ／ＳＩ生成部１３１は、「ｓｅｒｖｉｃｅ＿ｓｕｂｔｙｐｅ」に「０ｘ０２」を記述する。また、マルチメディア放送のコンテンツの種類が「リアルタイム型データサービス（Ａ階層）」である場合、ＰＳＩ／ＳＩ生成部１３１は、「ｓｅｒｖｉｃｅ＿ｓｕｂｔｙｐｅ」に「０ｘ０３」を記述する。
【００４９】
マルチメディア放送のコンテンツの詳細種別が「蓄積型映像サービス（Ａ階層）」である場合、ＰＳＩ／ＳＩ生成部１３１は、「ｓｅｒｖｉｃｅ＿ｓｕｂｔｙｐｅ」に「０ｘ０４」を記述する。また、マルチメディア放送のコンテンツの種類が「蓄積型音声サービス（Ａ階層）」である場合、ＰＳＩ／ＳＩ生成部１３１は、「ｓｅｒｖｉｃｅ＿ｓｕｂｔｙｐｅ」に「０ｘ０５」を記述する。また、マルチメディア放送のコンテンツの詳細種別が「蓄積型データサービス（Ａ階層）」である場合、ＰＳＩ／ＳＩ生成部１３１は、「ｓｅｒｖｉｃｅ＿ｓｕｂｔｙｐｅ」に「０ｘ０６」を記述する。
【００５０】
マルチメディア放送のコンテンツの種類が「リアルタイム型映像サービス（Ｂ階層）」である場合、ＰＳＩ／ＳＩ生成部１３１は、「ｓｅｒｖｉｃｅ＿ｓｕｂｔｙｐｅ」に「０ｘ５１」を記述する。また、マルチメディア放送のコンテンツの種類が「リアルタイム型音声サービス（Ｂ階層）」である場合、ＰＳＩ／ＳＩ生成部１３１は、「ｓｅｒｖｉｃｅ＿ｓｕｂｔｙｐｅ」に「０ｘ５２」を記述する。また、マルチメディア放送のコンテンツの種類が「リアルタイム型データサービス（Ｂ階層）」である場合、ＰＳＩ／ＳＩ生成部１３１は、「ｓｅｒｖｉｃｅ＿ｓｕｂｔｙｐｅ」に「０ｘ５３」を記述する。
【００５１】
マルチメディア放送のコンテンツの種類が「蓄積型映像サービス（Ｂ階層）」である場合、ＰＳＩ／ＳＩ生成部１３１は、「ｓｅｒｖｉｃｅ＿ｓｕｂｔｙｐｅ」に「０ｘ５４」を記述する。また、マルチメディア放送のコンテンツの種類が「蓄積型音声サービス（Ｂ階層）」である場合、ＰＳＩ／ＳＩ生成部１３１は、「ｓｅｒｖｉｃｅ＿ｓｕｂｔｙｐｅ」に「０ｘ５５」を記述する。また、マルチメディア放送のコンテンツの種類が「蓄積型データサービス（Ｂ階層）」である場合、ＰＳＩ／ＳＩ生成部１３１は、「ｓｅｒｖｉｃｅ＿ｓｕｂｔｙｐｅ」に「０ｘ５６」を記述する。
【００５２】
ＴＳ形式の放送信号を受信する受信装置は、ＴＳを受信する場合、受信するＴＳをＰＩＤ(パケットＩＤ)毎の各パケットに分離する。受信装置は、分離したパケットからＰＳＩ／ＳＩテーブルを取得する。受信装置は、ＰＳＩ／ＳＩテーブルの記述子を読み込み、記述子領域に挿入されているサービスリスト記述子を読み込む。
【００５３】
受信装置は、サービス記述リストの「ｓｅｒｖｉｃｅ＿ｔｙｐｅ」の値を確認する。受信装置は、「ｓｅｒｖｉｃｅ＿ｔｙｐｅ」の値が「０ｘＣ２」である場合、ＳＩが示すコンテンツがマルチメディア放送に関するコンテンツであることを認識する。この場合には、受信装置は、記述子領域に挿入されている拡張サービスリスト記述子をさらに読み込む。
【００５４】
受信装置は、図７に示す予めマルチメディア放送の種類と「ｓｅｒｖｉｃｅ＿ｓｕｂｔｙｐｅ」の値とが対応付けられたデータテーブル１３１ａを備える。受信装置は、拡張サービスリストの「ｓｅｒｖｉｃｅ＿ｓｕｂｔｙｐｅ」の値を確認する。受信装置は、「ｓｅｒｖｉｃｅ＿ｓｕｂｔｙｐｅ」の値に基づいてデータテーブル１３１ａを参照する。これにより、受信装置は、ＴＳとして受信したマルチメディア放送のコンテンツの詳細種別を簡便に認識する。
【００５５】
上記したように、データ送出装置１００は、マルチメディア放送に関するＴＳを生成する場合、ＰＳＩ／ＳＩテーブルに拡張サービスリスト記述子を挿入する。データ送出装置１００は、拡張サービスリスト記述子に「ｓｅｒｖｉｃｅ＿ｓｕｂｔｙｐｅ」を定義し、マルチメディア放送のコンテンツの種類に応じた値を「ｓｅｒｖｉｃｅ＿ｓｕｂｔｙｐｅ」に記述する。これにより、データ送出装置１００は、マルチメディア放送のコンテンツの詳細種別を簡便に受信装置に認識させることができる。
【００５６】
この結果、より利便性の高いデジタル放送信号を送出することができるデジタル放送のデータ送出方法を提供することができる。
【００５７】
また、受信装置は、コンテンツがリアルタイム型と蓄積型とのどちらであるかを認識することができる。また、受信装置は、コンテンツが映像サービス、音声サービス、及びデータサービスのうちのどれであるかを認識することができる。さらに、受信装置は、コンテンツが１２セグ放送によるものであるか、１セグ放送によるものであるかを認識することができる。このように、受信装置は、コンテンツの種類に応じて実行する処理を選択することにより、効率的な処理を行うことができる。
【００５８】
なお、上記の例では、データ送出装置１００は、マルチメディア放送に関するＴＳを生成する場合、ＰＳＩ／ＳＩテーブルに拡張サービスリスト記述子を挿入するとして説明したが、この構成に限定されない。ＳＤＴに挿入するサービス記述子の「ｓｅｒｖｉｃｅ＿ｔｙｐｅ」は、他のデータに置き換えることができる。そこで、データ送出装置１００は、マルチメディア放送に関するＴＳを生成する場合、ＳＤＴに挿入するサービス記述子の「ｓｅｒｖｉｃｅ＿ｔｙｐｅ」を「ｓｅｒｖｉｃｅ＿ｓｕｂｔｙｐｅ」に置き換えることにより、マルチメディア放送のコンテンツの種類を示す構成であってもよい。
【００５９】
ＰＳＩ／ＳＩ生成部１３１は、例えば、図８に示すサービス記述子（ｓｅｒｖｉｃｅ＿ｄｅｓｃｒｉｐｔｏｒ）をＳＤＴの記述子領域に挿入する。
【００６０】
サービス記述子は、サービス名、ブロードキャスタ名などのサービスに関する基本情報を記述する為の記述子である。図８に示すように、サービス記述子は、「ｄｅｓｃｒｉｐｔｏｒ＿ｔａｇ」、「ｄｅｓｃｒｉｐｔｏｒ＿ｌｅｎｇｔｈ」、「ｓｅｒｖｉｃｅ＿ｓｕｂｔｙｐｅ」、「ｓｅｒｖｉｃｅ＿ｐｒｏｖｉｄｅｒ＿ｎａｍｅ＿ｌｅｎｇｔｈ」、「ｃｈａｒ」、「ｓｅｒｖｉｃｅ＿ｎａｍｅ＿ｌｅｎｇｔｈ」、及び「ｃｈａｒ」などのフィールドを有する。
【００６１】
「ｄｅｓｃｒｉｐｔｏｒ＿ｔａｇ」は、当該記述子がサービス記述子であることを示す値を入記述するためのフィールドである。「ｄｅｓｃｒｉｐｔｏｒ＿ｌｅｎｇｔｈ」は、サービス記述子の記述子長を記述するためのフィールドである。
【００６２】
「ｓｅｒｖｉｃｅ＿ｓｕｂｔｙｐｅ」は、マルチメディア放送に関するサービスの種類を示す値を記述するためのフィールドである。
【００６３】
「ｓｅｒｖｉｃｅ＿ｐｒｏｖｉｄｅｒ＿ｎａｍｅ＿ｌｅｎｇｔｈ」は、ブロードキャスタ名の長さを記述するためのフィールドである。「ｃｈａｒ」は、ブロードキャスタ名を記述する為のフィールドである。
【００６４】
「ｓｅｒｖｉｃｅ＿ｎａｍｅ＿ｌｅｎｇｔｈ」は、編成チャンネル名の長さを記述するためのフィールドである。「ｃｈａｒ」は、編成チャンネル名を記述する為のフィールドである。
【００６５】
ＰＳＩ／ＳＩ生成部１３１は、ＴＳとして生成するマルチメディア放送に関するサービスの種類に応じて所定の値をサービス記述子の「ｓｅｒｖｉｃｅ＿ｓｕｂｔｙｐｅ」に入力する。
【００６６】
これにより、データ送出装置１００は、マルチメディア放送のサービスの詳細種別を受信装置に簡便に認識させることができる。
【００６７】
この結果、より利便性のデジタル放送信号を送出することができるデジタル放送送出方法を提供することができる。
【００６８】
なお、この発明は、上記した実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【符号の説明】
【００６９】
１００…データ送出装置、１１１…映像エンコーダ、１１２…映像変換部、１２１…音声エンコーダ、１２２…音声変換部、１３１…ＰＳＩ／ＳＩ生成部、１３１ａ…データテーブル、１５０…マルチプレクサ、１６０…伝送路符号化部。
【図１】
2011223354.tif 000003
【図２】
2011223354.tif 000004
【図３】
2011223354.tif 000005
【図４】
2011223354.tif 000006
【図５】
2011223354.tif 000007
【図６】
2011223354.tif 000008
【図７】
2011223354.tif 000009
【図８】
2011223354.tif 000010